(57)【要約】【課題】  本発明は、ケース（1）に対して固定的に配置され、前記ケース（1）から抜け出す第１のプラグ（21）を含むプラグコネクタを提供する。【解決手段】  本発明のプラグコネクタでは、第１のプラグ(21)と第２のプラグ(22)との間の相対位置を変更するためにケース(1)の変位面(12)に沿って変位可能な第２のプラグ(22)を設ける。【選択図】  図３
2019061942.tif 000002
【特許請求の範囲】
【請求項１】
ケース（1）を有するプラグコネクタであって、
前記ケースに対して固定的に配置され、前記ケースから抜け出す第１のプラグ(21)と、
前記ケース上に配置された第２のプラグ(22)と、
を具備し、
前記第２のプラグ(22)は、前記第１のプラグ（21）と前記第２のプラグ（22）との間の相対的な位置を変えることができるように、前記ケースの変位面に沿って変位可能であることを特徴とするプラグコネクタ。
【請求項２】
前記変位面(12)は、前記第２のプラグ(22)を案内するためのガイドスロット(13)を有する、ことを特徴とする請求項１に記載のプラグコネクタ。
【請求項３】
前記第１のプラグ(21)の電気接点(23)に導通する導体トラック(3)が前記ケース（1）内に設けられ、前記第２のプラグ(22)がどの位置でも前記導体トラック(3)と接触するように前記第２のプラグ(22)の電気接点(24)が配置されている、ことを特徴とする請求項１又は２のいずれか１項に記載のプラグコネクタ。
【請求項４】
前記導体トラック(3)は、前記ガイドスロット(13)のほうを向いた絶縁板(4)の前面側に配置される、ことを特徴とする請求項１乃至３のいずれか１項に記載のプラグコネクタ。
【請求項５】
前記絶縁板(4)は回路基板によって形成され、前記導体トラック(3)は前記絶縁板(4)上に印刷されている、ことを特徴とする請求項４に記載のプラグコネクタ。
【請求項６】
前記第２のプラグ(22)は、前記ケース(1)内に配置された端部に絶縁ディスク(5)を有する、ことを特徴とする請求項１乃至５のいずれか１項に記載のプラグコネクタ。
【請求項７】
前記第２のプラグ(22)、特に前記絶縁ディスク(5)は、前記第２のプラグ(22)がそのプラグ軸に沿って前記導体トラック(3)のほうに向けて付勢するようにばね要素(6)と係合する、ことを特徴とする請求項１乃至６のいずれか１項に記載のプラグコネクタ。
【請求項８】
前記第２のプラグ(22)のどの位置にあっても前記ケースの外側に当接するディスク(9)が前記第２のプラグ(22)に形成されている、ことを特徴とする請求項１乃至７のいずれか１項に記載のプラグコネクタ。
【請求項９】
前記第１のプラグ(21)は、前記ケース(1)の第１のケース側面(11a)に配置され、
前記第２のプラグ(22)は、前記第１のケース側面(11a)と向き合う前記ケース(1)の第２のケース側面(11b)に配置される、ことを特徴とする請求項１乃至８のいずれか１項に記載のプラグコネクタ。
【請求項１０】
前記第１のケース側面(11a)と前記変位面(12)とは互いに実質的に平行であることを特徴とする請求項９に記載のプラグコネクタ。
【請求項１１】
前記第１のケース側面(11a)と前記変位面(12)とは互いに鋭角(β)を成すことを特徴とする請求項１乃至１０のいずれか１項、特に請求項９に記載のプラグコネクタ。
【請求項１２】
前記第１のプラグ(21)によって規定される第１の差し込み方向(A)と前記第２のプラグ(22)によって規定される第２の差し込み方向(B)との間に挟まれた角度(α)は９０°である、ことを特徴とする請求項１乃至１１のいずれか１項に記載のプラグコネクタ。
【請求項１３】
前記第１のプラグ(21)によって規定される第１の差し込み方向(A)と前記第２のプラグ(22)によって規定される第２の差し込み方向(B)との間に挟まれた角度(α)は０°より大きく、好ましくは１８０°である、ことを特徴とする請求項１乃至１２のいずれか１項に記載のプラグコネクタ。
【請求項１４】
前記第１のプラグ（21）および前記第２のプラグ（22）は、フォーンプラグとして、好ましくは２極フォーンプラグとして、より好ましくは２極6.3mmフォーンプラグとして形成される、ことを特徴とする請求項１乃至１３のいずれか１項に記載のプラグコネクタ。
【請求項１５】
楽器の電子的な音響を変更するための少なくとも２つのエフェクタ（91,92）を有する配置であって、
前記エフェクタは、それぞれが少なくとも１つのソケット（91a、92a）を有し、前記ソケット（91a、92a）を介して請求項１乃至１３のいずれか１項に記載の１つ以上のプラグコネクタによって互いに接続されていることを特徴とする配置。
【発明の詳細な説明】
【技術分野】
【０００１】
本発明は、２つのソケット（差し込み口）を接続するためのプラグコネクタ、およびプラグコネクタを含む配置に関する。
【背景技術】
【０００２】
音楽分野では、エレクトリックギターまたはエレクトリックベースギターのような電子楽器の電気的な音響の改変に使用されるフット操作可能なエフェクタを接続するために接続用配線が必要となる。
【０００３】
通常、シグナル・チェーンを形成するためには多数のエフェクタが直列に接続され、これらのエフェクタを互いに独立してオン・オフ切り替え操作をすることにより広範囲の音響改変を可能にする。このようなシグナル・チェーンは、特にギタリストやベーシストによるライブコンサートに利用されている。
【０００４】
ケーブル配線されたエフェクタを容易に持ち運びできるようにするために、それら複数のエフェクタは、しばしばケーブル配線された状態でプレートのような搬送エレメント上にしっかりと固定される。
【０００５】
接続すべきエフェクタは、接続される側のソケットの形状と配置の点で大きく異なる。したがって、コンパクトで場所をとらないエフェクタの省スペース配置を可能とするために、通常、接続には短いパッチケーブルが使用される。
【０００６】
しかしながら、パッチケーブルを用いた接続には欠点がある。まず、パッチケーブルは、通常、橋渡しをされる接続区間よりも長いため、エフェクタをコンパクトに配置する場合に、ケーブルが余ってしまい、この余分なケーブルがエフェクタ間に存在するスペースに押込まれる。
【０００７】
これにより、パッチケーブルに対する機械的負荷が増加し、その結果、パッチケーブルが頻繁に破損する。これに加えてさらに、余分なケーブルを収納するために追加のスペースが必要となるので、コンパクトであるとは言い難いエフェクタの配置となってしまう。
【発明の概要】
【発明が解決しようとする課題】
【０００８】
本発明の課題は、様々な外的条件のために短い距離におかれた２つのソケットを、堅牢で信頼性があり、かつ省スペースの接続を可能とする解決策を提供することにより解決される。この課題は、請求項１の特徴を有するプラグコネクタによって解決される。この課題は、請求項１４の特徴を有する配置構成によっても解決される。
【課題を解決するための手段】
【０００９】
特に、本課題は、ケースを有するプラグコネクタであって、前記ケースに対して固定配置された第１のプラグが前記ケースの外側に抜け出し、前記ケース上に第２のプラグが配置され、前記第２のプラグは、前記第１のプラグと前記第２のプラグとの間の相対位置を変更するために、前記ケースの変位面に沿って変位可能であるプラグコネクタによって解決される。
【００１０】
本発明の本質的な思想は、接続のために用意されたプラグが固定したケースに配置されており、従来のようにケーブル線によって接続されるのではないことである。これにより、機械的負荷に対して議論の余地なく堅牢な接続の解決策が実現される。この場合、プラグの１つは、接続されるソケットの変化する配置を考慮に入れて、プラグの相対位置を変更できるようにするために、プラグの一方がケースに対して変位可能に取り付けられる。従って、本発明のプラグコネクタは、プラグの位置決めにおける柔軟性に関して、欠点なしに従来の接続に対して決定的な利点を有する。
【００１１】
好ましい実施形態では、変位面は、第２のプラグを案内するためのガイドスロットを有する。ガイドスロットは、第２のプラグが摺動可能な距離を規定する。好ましくは、ガイドスロットの幅は、第２のプラグの外径に対応する。これにより、ガイドスロット内における第２のプラグの揺れ動き（ガタツキ）を防ぐことができる。
【００１２】
更に好ましくは、ケース内には第１のプラグの電気接点に導通する導体トラックが配置されており、該導体トラックは前記第２のプラグがどの位置にあっても第２のプラグの電気接点が該導体トラックと接触して導通するように配置される。これにより、２つのプラグ間の電気的接続のための構造的にシンプルで機械的に堅牢な解決策が実現される。好ましくは、導体トラックは、第２のプラグがガイドスロットに沿って変位したときに変位面（スライド面）の平面に対してその向きを変えないように、ケース内部でガイドスロットに対して平行に延び出ている。
【００１３】
好ましい実施形態では、導体トラックは、ガイドスロットのほうを向く絶縁板の前面側に配置される。これにより、ケース内部に導体トラックを取り付けるための有利な方策が提供される。回路基板は、ケース内に貼り付けるか、差し込むか、またはネジ止めすることができる。回路基板をケースに繋ぎ合わせるために、回路基板の輪郭をケースの形状に適合させることができる。絶縁板は、導体トラックのほうを向かない反対側に穴を有することができる。この穴は、導体トラックの前方側の方向に延び出している。これにより、第１のプラグの電気接点を絶縁体の裏側から導体トラックに接続することが可能になる。
【００１４】
更に好ましくは、絶縁板はプリント回路基板によって形成され、導体トラックは絶縁板上に印刷されることがさらに好ましい。これにより導体トラックの簡易かつ安価な製造が可能になる。
【００１５】
更に好ましい実施形態では、第２のプラグは、その端部にケース内に配置された絶縁ディスクを有する。これにより、プラグのカバーを、第２のプラグの電気接点と導体トラックとの接触領域から確実に隔離することが可能になる。絶縁ディスクは、好ましくは、第２のプラグから半径方向の外方に突出して形成される。
【００１６】
更に好ましくは、第２のプラグ、特に絶縁ディスクは、その軸に沿って導体トラックの方向に付勢されるように、ばね要素と係合されている。これにより、第２のプラグと導体トラックとの電気的接触が確実に維持される。
【００１７】
好ましい実施形態では、ディスクが、第２のプラグがどの位置にあってもケースの外側に当接するように、第２のプラグ上に形成されている。ディスクは、ケースに対して第２のプラグを支えており、それによって、プラグコネクタの安定性を高めている。同時に、ガイドスロットに沿った第２のプラグの案内が改善される。
【００１８】
好ましい実施形態では、第１のプラグはケースの第１のケース側面に配置され、第２のプラグは第１のケース側面とは反対側に配置される第２のケース側面に配置される。これにより、互いに向かい合う（ケース）面上に位置する２つのソケットを接続できるプラグコネクタが実現される。第２のプラグは変位可能であるので、ソケットがそれぞれの面上で互いに位置をずらして配置されていた場合であっても、それらのソケットを互いに接続することができる。
【００１９】
更に好ましくは、ケース側面と変位面とは実質的に互いに平行である。第１のプラグの軸と第２のプラグの軸とが実質的に互いに平行である場合に、平行に整列された２つのソケットを１つのコネクタプラグによって接続することができる。
【００２０】
他の好ましい実施形態では、ケース側面と変位面とは互いに鋭角を成す。このようにして形成されたプラグコネクタでは、互いに平行に整列されていないソケット間を互いに接続することが可能になる。
【００２１】
他の好ましい実施形態では、第１のプラグによって画定される第１の差し込み方向と第２のプラグによって画定される第２の差し込み方向との間の角度が９０°である。このプラグコネクタでは、差し込み方向が互いに直交する２つのソケットを接続することができる。
【００２２】
更に好ましい実施形態では、第１のプラグによって画定される第１の差し込み方向と、第２のプラグによって画定される第２の差し込み方向との間の角度は、０°より大きく、特に１８０°である。この実施形態では、第１のプラグと第２のプラグとが互いに平行に配置され、かつ、同じ方向を向くプラグコネクタを除外する。
【００２３】
更に好ましくは、第１のプラグおよび第２のプラグは、フォーンプラグとして、好ましくは２極フォーンプラグとして、より好ましくは２極6.3mmフォーンプラグとして形成される。ここで好ましくは、プラグのスリーブが接地される一方で、２つのプラグの電気接点がプラグの先端部にそれぞれ接続されていることが好ましい。これによって6.3mmフォーンプラグを持つあらゆる慣用のエフェクタとともに使用することができるプラグコネクタが実現される。
【００２４】
本発明の目的は、それぞれがソケットを有し、ソケットを介して請求項１乃至１３のいずれか１項に記載の互いに接続されたコネクタが設けられ、楽器の電子音を変更するための少なくとも２つのエフェクタを備えた装置によってさらに達成される。本発明のプラグコネクタを使用することにより、省スペースで堅牢な接続を有し、かつ、エフェクタ上のソケットが種々異なる位置にある場合において複数のエフェクタの配置を実現することができる。
【００２５】
以下、本発明は、図面を参照してより詳細に説明される例示的な実施形態に基づく更なる特徴と利点に関して説明される。
【図面の簡単な説明】
【００２６】
【図１】図１は、本発明の第１の実施形態のプラグコネクタを示す側面図である。
【図２ａ】図２ａは、図１のプラグコネクタを下方から見た斜視図である。
【図２ｂ】図２ｂは、第２のプラグの位置が変更された図２ａのプラグコネクタを示す図である。
【図３】図３は、図１のプラグコネクタの分解斜視図である。
【図４】図４は、本発明の第２の実施形態に係るプラグコネクタを示す側面図である。
【図５】図５は、本発明の第３の実施形態に係るプラグコネクタを示す側面図である。
【図６】図６は、本発明の第４の実施形態に係るプラグコネクタを示す斜視図である。
【図７】図７は、本発明の２つのエフェクタと１つのプラグコネクタの配置を示す平面図である。
【発明を実施するための形態】
【００２７】
図１は、本発明の第１実施形態に係るプラグコネクタの側面図である。プラグコネクタは、第１のプラグ２１と第２のプラグ２２とが配置されたケース１を有する。本実施形態では、第１のプラグ２１および第２のプラグ２２は、２極のフォーンプラグとして形成されている。フォーンプラグコネクタは、特に電気ギターや電気ベースギターなどの電気楽器からの音響信号を伝送するために通常用いられている。図１ａに示すように、プラグ２１と２２のポールは、それぞれ絶縁リング２１ｃ，２２ｃにより互いに電気的に絶縁されたプラグ２１，２２の先端部２１ａ，２１ｂおよび後部円筒部２１ｂ，２２ｂ（いわゆるスリーブ）によって形成されている。スリーブ２１ｂ，２２ｂは接地されている。プラグ２１，２２の内部には、（図示しない）電気的な接続がプラグ２１，２２の先端部２１ａ，２２ａからそれぞれ対向するプラグ端部までの間に設けられている。このプラグ端部は電気接点となり終わっている。これは、図３に示す第２のプラグ２２において見ることができる。第２のプラグ２２の先端部２２ａの電気接点は、ここでは参照符号２４で示される。第１のプラグ２１は、同様に構成されており、先端部２１ａと向き合う端部に電気接点２３を有する。電気接点２３は、第１のプラグ２１の内部の電気的接続により先端部２１ａに接続されている。
【００２８】
第１のプラグ２１は、差し込み方向Ａを規定する。本実施形態では、第１のプラグ２１は、第１のケース側面１１ａに配置されている。第２のプラグ２２は、差し込み方向Ｂを規定する。第２のプラグ２２は、第１のプラグ２１と第２のプラグ２２との間の相対位置を変更可能とするために、第２のケース側面１１ｂに沿って変位可能である。これにより、差し込み方向Ａと差し込み方向Ｂとの相対的な位置関係を変えることができる。例えば、図１に示したプラグコネクタは、２つの対向する実質的に平行な面を有するように横並びに隣接して配置された２つの装置を接続するために利用することができる。これらの面にそれぞれソケットが設けられている場合であって、それらのソケットが互いに位置がずらされて配置されている場合に、２つの装置を接続するためにプラグコネクタを利用することもできる。これは、第２のプラグ２２を第２のケース側面１１ｂに沿って変位させることによって可能になる。
【００２９】
ケースの高さ、すなわち第１のケース側１１ａと第２のケース側１１ｂとの間の距離は、好ましい実施形態では１０mmである。したがって、プラグコネクタはほとんどスペースを必要とせず、接続されるデバイス装置は互いに近接した非常に小さい距離に配置することができる。
【００３０】
第２のプラグ２２の変位性能は、図２ａと図２ｂに示されている。図２ａおよび図２ｂは、それぞれ図１のプラグコネクタを下方から見た斜視図を示している。図２ａでは、第２のプラグ２２は、差し込み方向Ａと差し込み方向Ｂとの間に最大の位置ずれを示す位置にある。図２ｂでは、第２のプラグ２２は、差し込み方向Ａと差し込み方向Ｂとが一直線上にある位置にある。この配置構成では、第２のプラグ２２が、２つの整列されたソケットを互いに接続することができる。
【００３１】
図２ａと図２ｂに見られるように、ケース１のほうを向く第２のプラグ２２の基端部は、第２のケース側面１１ｂにおいて変位可能な第２のプラグ２２が案内されるガイドスロット１３内に取り付けられている。ガイドスロット１３は、第２のプラグ２２の外径に対応する幅を有する。これにより、第２のプラグ２２がガイドスロット１３に沿ってのみ変位可能であること、および、ガイドスロット１３の横方向に遊びがないことが確実になる。
【００３２】
図３は、図１のプラグコネクタの分解図である。ケース１は、互いに繋ぎ合わされるか、互いに接着されるか、ねじ止めされるか、または他の方法で接続される第１の半体シェル１４と第２の半体シェル１５とによって形成されている。第１の半体シェル１４と第２の半体シェル１５は、金属のような導電性材料でつくられている。第１のプラグ２１は、スリーブ２１ｂで第１の半体シェル１４に堅固に接続されている。第１のプラグ２１の電気接点２３（図３には図示せず）は、第１の半体シェル１４の内側のほうを向いている。第２の半体シェル１５は、第２のプラグ２２が位置を変えることができる変位面１２を内側に有する。
【００３３】
図３に示す実施形態では、第２のプラグ２２は、ケース１の端部に配置されたキャップ８、リング７およびばね要素６によって案内される。絶縁ディスク５は、ケース１内に配置された第２のプラグ２２の端部と堅固に接続されている。絶縁ディスク５は、第２のプラグ２２の電気接点２４が組み立てられた状態でそこを通って突出する穴５１を中央に有する。キャップ８は、ガイドスロット１３に対して直交するケース１の幅に対応する外径をもつ中空の円筒形状を有している。
【００３４】
キャップ８は、半径方向の内方に突出する突出部をガイドスロット１３の側に有する。リング７は、同様に、中空の円筒状に形成され、半径方向に突出する突出部におけるキャップ８の内径に対応する外径を有する。リング７の内径は、第２のプラグ２２の外径に対応している。絶縁板４のほうを向いた端部において、リング７は半径方向の外方に突出する突出部を有する。
【００３５】
絶縁ディスク５の第２のプラグ２２と向き合わない反対側の面には絶縁板４がケース内に配置されている。絶縁板４は、例えば回路基板などの電気絶縁材料で形成されている。絶縁板４の第２のプラグ２２のほうを向く側には、導電性材料からなる導体トラック３が形成されている。導体トラック３は、図示された実施形態において、対応して形成された絶縁板４の凹部に埋め込まれており、その結果、絶縁板４の表面と同一面になる。しかし、導体トラック３は、絶縁板４上に印刷してもよいし、あるいはエッチングしてもよい。
【００３６】
導体トラック３は、組み立てられた状態でガイドスロット１３と平行に延びるように絶縁板４上に配置される。この配置構成は、ガイドスロット１３に沿ってプラグ２２が変位されて位置が変わったときに、第２のプラグ２２の電気接点２４が導体トラック３と常に接触することを確実にする。
【００３７】
電気的な接触をさらに改善するために、第２のプラグ２２は、差し込み方向Ｂに沿って導体トラック３の方向に付勢される。この付勢力は、ばね要素６によって生成される。２つの半体シェル１４と１５が組み立てられた状態では、絶縁板４の導体トラック３のほうを向いていない側（上面側）は、第１の半体シェル１４の内側に位置する。第２のプラグ２２のケース側端側の端部には、絶縁板４に絶縁ディスク５が固定され、第２のプラグ２２の電気接点２４は、絶縁ディスク５の穴５１を通って突き出し、導体トラック３に接触している。
【００３８】
ばね要素６は、第２のプラグ２２のプラグ軸上に配置され、絶縁ディスク５と係合している。ばね要素６と第２のケースシェル１５との間には、同様に、第２のプラグ２２のプラグ軸上に配置されたリング７とキャップ８が設けられている。ばね要素６は、リング７の突出部に係合し、該突出部をガイドスロット１３の方向に押す。その際に、リング７の突出部はキャップ８の突出部と係合する。キャップ８はガイドスロット１３の幅よりも大きい外径を有するため、リング７とキャップ８との係合配置構成は、ばね要素６によって第２の半体シェル１５の内壁に押し付けられる。ばね要素６は、同時に、第２のプラグ２２を絶縁板４の方向に付勢する。
【００３９】
キャップ８とリング７は導電材料でつくられている。リング７の内径は、第２のプラグ２２の外径に対応している。第２のプラグ２２のスリーブ２２ｂは、リング７およびキャップ８を介して第２の半体シェル１５に導電接触する。第１のプラグ２１のスリーブ２１ｂは、第１の半体シェル２１に導電接触しているので、２つのコネクタのスリーブ２１ｂ，２２ｂは、組み立てられた状態で互いに導電接続される。第２のプラグ２２の先端部２２ａは、電気接点２４を介して導体トラック３に導通接触している。絶縁板４は、導体トラック３のほうを向いていない反対側において、第１のプラグ２１の電気接点２３の位置に対応する位置に穴４１を有する。導体トラック３は、穴４１を覆うように穴４１と重なって延びているので、第１のプラグ２１の側からアクセス可能である。第１のプラグ２１の電気接点２３は、穴４１の寸法に合わせて形成することができる。電気接点２３を穴４１に挿入して配線３に接触させることができる。これに代えて、電気接点２３は、導体トラック３にはんだ付けされてもよいし、あるいは他の方法で導体トラック３に導通接続されてもよい。
【００４０】
このように構成されたプラグコネクタによれば、ケーブルを介することなくプラグ２１とプラグ２２との間を接続することができる。この接続は、構造が簡単で機械的に堅牢であり、プラグＡとプラグＢの配置を種々変更することができる。記載した個々の部品の寸法を適切に選択することにより、ねじ等の締結具をさらに使用することなくプラグコネクタを製造することができる。
【００４１】
上述した実施形態では、第２の半体シェル１５の内側の変位面１２は、第２のプラグ２２が配置されたケース１１ｂの第２の面と平行である。しかし、原理的には、ケースの第２の面を変位面１２に対して平行でないように形成することも可能である。同様に、プラグ２２が摺動可能に取り付けられた変位面１２がケースの外側に配置される構成も考えられる。第２のプラグ２２が変位面に沿って位置を変更できるように取り付けられることが重要である。
【００４２】
さらに、第２のプラグ２２を他の方法でケース内に収納することを実現することも可能である。第２のプラグ２２の各位置において、導体トラック３と第２のプラグ２２の電気接点２４との間の接触を確保することが重要である。例えば、絶縁ディスク５を第２のプラグ２２に固く動かないように接続するのではなく、その代わりに、第２のプラグ２２を導体トラックのほうに向けて付勢しながら、第２のプラグ２２と半径方向に係合するように、リング要素６を形成することが考えられる。同様に、第２のプラグ２２が変位面１２に沿って変位可能であることが保証されている限りにおいて、リング７とキャップ８との組み合わせは必ずしも必要ではない。これは、例えば、リング７を省略し、第２のプラグ２２を導体トラック３に向けて付勢するために、キャップ８の半径方向の内方に延び出す突出部と直接係合するようにばね要素６を形成することにより実現することができる。
【００４３】
図４は、本発明の第２の実施形態に係るプラグコネクタの側面図である。第１の実施形態では第１のケース側面１１ａと第２のケース側面１１ｂとを互いに平行に配置したが、第２の実施形態では第１のケース側面１１ａと第２のケース側面１１ｂとは互いに角度βを成す。この角度βは鋭角とすることが適する。それゆえに、プラグ２１の差し込み方向Ａとプラグ２２の差し込み方向Ｂとは鈍角αを成す。本実施形態のプラグコネクタは、互いに接続される２つの装置が、例えばアーチ形状のペダルボード上に互いに平行ではない位置関係に配置される場合に適する。
【００４４】
図４のプラグコネクタの構造は、実質的に第１の実施形態のそれに対応する。導体トラック３は、図中に破線で示すように、第２のプラグ２２の電気接点をガイドスロット１３の内側のどの位置においても確保するために、ガイドスロット１３に対して平行に延びるようにケースの内部に配置されている。この目的のために、絶縁板４は、ケース１の内側の適当な箇所に例えばネジで固定されている。あるいは、ケース１は、絶縁板４が固定される対応する形状を内側に有していてもよい。第１のプラグ２１の電気接点２３は、第２の実施形態の導体トラック３に対して適当な方法で、例えば適当な長さの導体ピースによって接続される。
【００４５】
図５は、本発明の第３の実施形態に係るプラグコネクタの側面図である。本実施形態では、第１の実施形態とは異なり、第１のプラグ２１はケース側面１１に配置されず、ケース１の長手方向の端部に配置されている。これにより、互いに直交する差し込み方向ＡとＢを設けることができるプラグコネクタを実現することができる。
【００４６】
図５のプラグコネクタの構成は、第１の実施形態に対応する。第１のプラグ２１は、ケース１上の異なる位置に取り付けられているので、電気接点２３は、対応する導体ピースを設けることにより導体トラック３に接続される。絶縁板４およびその他の部品の配置は、第１の実施形態と同様である。
【００４７】
図６は、本発明の第４の実施形態に係るプラグコネクタの斜視図である。本実施形態のプラグコネクタは、構造に関して第１の実施形態のプラグコネクタに対応する。図６のプラグコネクタでは、第２のプラグ２２にディスク９が取り付けられる。好ましくは、ディスク９は第２のプラグ２２にモールド成形される。ディスク９は、第２のプラグ２２から半径方向の外側に延び出し、第２のケース側面１１ｂに当接するように位置決めされている。ディスク９は、好ましくは、第２のプラグのスリーブ２２ｂと同じ材料で作製される。このディスク９によって、ガイドスロット１３内における第２のプラグ２２の安定性と操作性を向上させることができる。
【００４８】
図７は、本発明の２つのエフェクタ９１，９２と１つのプラグコネクタの配置を示す平面図である。エフェクタ９１，９２は、プラグ２１，２２に対応するフォーンプラグを受け入れるソケット９１ａ，９２ｂ上のそれぞれの左側面および右側面に設けられている。エフェクタ９１，９２の側面でのソケット９１ａ，９２ｂの相対的な位置は種々異なる。それにもかかわらず、本発明のプラグコネクタを用いることにより、プラグコネクタの第１のプラグ２１をエフェクタ９１のソケット９１ａに挿入することにより、２つのエフェクタを並置してスペースを節約することができ、かつ、２つのエフェクタ９１，９２が平行に方向づける際に、第２のエフェクタ９２のソケット９２ａに差し込むことができるように変位可能な第２のプラグ２２を変位させることができる。
【００４９】
エフェクタ９１，９２は、図６のそれらの外側に向いた側面に更にソケットを有する。これらのソケットを介して、更なるプラグコネクタで更なるエフェクタを接続することができる。この方法で、任意の数のエフェクタからなるシグナル・チェーンを、場所をとらずに形成することができる。２つのエフェクタの斜めの配置が必要な場合は、本発明の第２の実施形態のプラグコネクタを使用することができる。エフェクタがその端面の一方にソケットをさらに有する場合は、第３の実施形態のプラグコネクタによって、エフェクタの長手方向の一方の側にソケットを有するエフェクタへの接続を実現することができる。
【符号の説明】
【００５０】
1…ケース、11a…第１のケース側面、11b…第２のケース側面、
12…変位面、13…ガイドスロット、14…第１の半体シェル、15…第２の半体シェル、
21…第１のプラグ、22…第２のプラグ、
21a,22a…先端部、21b,22b…スリーブ、23,24…電気接点、
3…導体トラック、4…絶縁板、41…穴、5…絶縁ディスク、51…穴、
6…ばね要素、7…リング、8…キャップ、
9…ディスク、91,92…エフェクタ、91a,92a…ソケット、
A,B…差し込み方向。
【図１】
2019061942.tif 000003
【図２ａ】
2019061942.tif 000004
【図２ｂ】
2019061942.tif 000005
【図３】
2019061942.tif 000006
【図４】
2019061942.tif 000007
【図５】
2019061942.tif 000008
【図６】
2019061942.tif 000009
【図７】
2019061942.tif 000010
【外国語明細書】
2019061942000001.pdf